(57)【要約】【課題】従来タイプと同程度の小型の撮像レンズとしつつも、大口径化されたうえで、諸収差が良好に補正された、７枚構成の撮像レンズを提供すること。【解決手段】撮像レンズ１０は、物体側より順に、正の第１レンズＬ１と、正の第２レンズＬ２と、第３レンズＬ３と、第４レンズＬ４と、第５レンズＬ５と、第６レンズＬ６と、第７レンズＬ７と、からなり、第７レンズＬ７の像側面Ｓ７２は非球面形状であり、中心以外の有効径内の位置Ｐに極値を有し、以下の条件式を満たす。  １５．０＜θＳｐ＜５０．０    …    （１）ただし、θＳｐは、第２レンズＬ２の物体側面Ｓ２１の有効径内における最大面角度である。【選択図】図１
2015072402.tif 000002
【特許請求の範囲】
【請求項１】
物体側より順に、正の第１レンズと、正の第２レンズと、第３レンズと、第４レンズと、第５レンズと、第６レンズと、第７レンズと、からなり、
前記第７レンズの像側面は非球面形状であり、中心以外の有効径内に極値を有し、
以下の条件式を満たす撮像レンズ。
１５．０＜θＳｐ＜５０．０    …    （１）
ただし、
θＳｐ：前記第２レンズの物体側面の有効径内における最大面角度
【請求項２】
前記第７レンズは像側面が光軸近傍において凹面であり、かつ負レンズである、請求項１に記載の撮像レンズ。
【請求項３】
前記第４レンズよりも物体側に開口絞りを有する、請求項１及び２のいずれか一項に記載の撮像レンズ。
【請求項４】
前記第３レンズは像側に凹面を向けた負レンズである、請求項１から３までのいずれか一項に記載の撮像レンズ。
【請求項５】
前記第１レンズと前記第２レンズとは、物体側に凸面を向けている、請求項１から４までのいずれか一項に記載の撮像レンズ。
【請求項６】
前記第１レンズは物体側に所定の開口を持つ第１絞り部材を有し、
前記第３レンズは物体側及び像側の少なくとも一方に所定の開口を持つ第２絞り部材を有し、
以下の条件式を満たす、請求項１から５までのいずれか一項に記載の撮像レンズ。
０．７０＜Φｓ３／Φｓ１＜１．００    …    （２）
ただし、
Φｓ１：前記第１絞り部材の開口径
Φｓ３：前記第２絞り部材の開口径
【請求項７】
以下の条件式を満たす、請求項１から６までのいずれか一項に記載の撮像レンズ。
１．０＜ΦＬ１／ΦＬ３＜１．４    …    （３）
ただし、
ΦＬ１：前記第１レンズの物体側面と像側面のうち、大きい方の有効径
ΦＬ３：前記第３レンズの物体側面と像側面のうち、大きい方の有効径
【請求項８】
以下の条件式を満たす、請求項１から７までのいずれか一項に記載の撮像レンズ。
０．２＜ｆ１／ｆ２＜１．４    …    （４）
ただし、
ｆ１：前記第１レンズの焦点距離
ｆ２：前記第２レンズの焦点距離
【請求項９】
以下の条件式を満たす、請求項１から８までのいずれか一項に記載の撮像レンズ。
−１．０＜ｆ１２／ｆ３＜−０．４    …    （５）
ただし、
ｆ１２：前記第１レンズと前記第２レンズの合成焦点距離
ｆ３：前記第３レンズの焦点距離
【請求項１０】
前記第４レンズは正レンズであり、以下の条件式を満たす、請求項１から９までのいずれか一項に記載の撮像レンズ。
１．５＜ｆ４／ｆ＜５．０    …    （６）
ただし、
ｆ４：前記第４レンズの焦点距離
ｆ：撮像レンズ全系の焦点距離
【請求項１１】
実質的にパワーを持たない光学素子をさらに有する、請求項１から１０までのいずれか一項に記載の撮像レンズ。
【請求項１２】
請求項１から１１までのいずれか一項に記載の撮像レンズと、前記撮像素子とを備える撮像装置。
【請求項１３】
請求項１２に記載の撮像装置を備える携帯端末。
【発明の詳細な説明】
【技術分野】
【０００１】
本発明は、小型の撮像レンズ、並びにこれを組み込んだ撮像装置及び携帯端末に関し、特に７枚のレンズを有する低背に好適な撮像レンズ、撮像装置及び携帯端末に関する。
【背景技術】
【０００２】
近年、ＣＣＤ（Charge Coupled Device）型イメージセンサーあるいはＣＭＯＳ（Complementary Metal Oxide Semiconductor）型イメージセンサー等の固体撮像素子を用いた撮像素子の高性能化及び小型化に伴い、撮像装置を備えた携帯電話や携帯情報端末が普及しつつある。さらに最近では、上記のような携帯情報端末等に搭載される表示素子の大型化・高精細化を受け、撮像素子も高画素化が求められており、これらの携帯情報端末等に搭載される撮像レンズに対しては、さらなる高性能化への要求が高まっている。このような用途の撮像レンズとして、５枚や６枚構成の撮像レンズが提案されている。最近では、さらなる高性能化を目指し５枚や６枚構成のレンズに比べ収差補正能力の優れた７枚構成のレンズも提案されている（例えば特許文献１、２等参照）。
【０００３】
撮像素子に対する高画素化の要求の一方で、撮像装置の小型化の要求も強く、撮像素子については、高画素化と小型化とを両立するために、画素サイズの小型化が進んでいる。撮像素子の画素サイズが小さくなると、その分１画素当たりで受光できる光量が減少するため、Ｓ／Ｎ比が小さくなることによるノイズや、露光時間が長くなるため発生する手振れによる画像劣化が問題となる。この１画素当たりで受光できる光量の減少に起因する問題の対策のため、より明るいレンズが求められており、最近ではＦ１．９以下の大口径のレンズが求められている。一方で、大口径化は、受光光量の増加には寄与するが、球面収差やコマ収差などの単色収差の発生に繋がり、光学性能を劣化させてしまう。上記特許文献１には、第１レンズが正レンズ、第２レンズが負レンズの７枚構成の撮像レンズが記載されているが、Ｆ２．０以上の暗い撮像レンズしか記載されておらず、十分な大口径化ができていない。また、第１レンズの正のパワーが強すぎるため、Ｆ１．９以下に大口径化した際に球面収差やコマ収差の補正が不足し、性能の維持が難しい。また、特許文献２には、第１レンズが負レンズ、第２レンズが正レンズの７枚構成の撮像レンズが記載されているが、特許文献１と同様に、Ｆ２．０以上の暗い撮像レンズしか記載されておらず、十分な大口径化ができていない。また、大口径化の際に各レンズの有効径が大きくなり、それに伴い光軸方向への厚みも増加するが、負の第１レンズの厚みが増すと、正の第２レンズが像側へ寄ることになるため、全系の主点位置も像側に寄り、光学全長の短縮が難しくなる。
【先行技術文献】
【特許文献】
【０００４】
【特許文献１】中国実用新案公告第２０２８８６７２０号明細書
【特許文献２】中国実用新案公告第２０２８８６７１３号明細書
【発明の概要】
【０００５】
本発明は、このような問題点に鑑みてなされたものであり、従来タイプと同程度の小型の撮像レンズとしつつも、大口径化されたうえで、諸収差が良好に補正された、７枚構成の撮像レンズを提供することを目的とする。ここで、小型の撮像レンズの尺度であるが、本発明では下式を満たすレベルの小型化を目指している。この範囲を満たすことで、撮像装置全体の小型軽量化が可能となる。
Ｌ／２Ｙ＜１．００      …      （７）
ただし、
Ｌ：撮像レンズ全系の最も物体側のレンズ面から像側焦点までの光軸上の距離
２Ｙ：撮像素子の撮像面対角線長（撮像素子の矩形実効画素領域の対角線長）
ここで、像側焦点とは、撮像レンズに光軸と平行な平行光線が入射した場合の像点をいう。なお、撮像レンズの最も像側の面と像側焦点位置との間に、光学的ローパスフィルター、赤外線カットフィルター、又は撮像素子パッケージのシールガラス等の平行平板が配置される場合には、平行平板部分は空気換算距離としたうえで上記Ｌの値を計算するものとする。
【０００６】
値Ｌ／２Ｙについては、より望ましくは、下式の範囲がよい。
Ｌ／２Ｙ＜０．９５      …      （７）'
【０００７】
上記目的を達成するため、本発明に係る撮像レンズは、物体側より順に、正の第１レンズと、正の第２レンズと、第３レンズと、第４レンズと、第５レンズと、第６レンズと、第７レンズと、からなり、第７レンズの像側面は非球面形状であり、中心以外の有効径内に極値を有し、以下の条件式を満たす。
１５．０＜θＳｐ＜５０．０    …    （１）
ただし、
θＳｐ：第２レンズの物体側面の有効径内における最大面角度
なお、有効径とは、撮像面対角に結像する光束がレンズ面を通過する範囲のことをいう。また、極値とは、有効半径内でのレンズ断面形状の曲線において、非球面頂点の接平面又は接線が光軸と垂直な平面又は線分となるような非球面上の点のことである。また、面角度は、光軸垂線に平行な場合を０°とし、像側に傾いている場合を正の角度とし、物体側に傾いている場合を負の角度とする。
【０００８】
本発明に係る撮像レンズでは、最も物体側に配置される第１レンズと第２レンズとを正レンズとすることで、撮像レンズ全系の主点位置が物体側に寄るため、光学全長の短縮に有利になる。また、強い正のパワーを２枚のレンズで分担できるため、球面収差やコマ収差の補正を良好にすることができ、高性能化することができる。また、第７レンズの像側面を中心以外の有効径内に極値を持った非球面とすることで、周辺像高の光線が像面へ入射する際の入射角を小さく抑えることが可能になる。そのため、撮像素子を用いた場合のセンサーの受光効率を向上させることができる。
【０００９】
条件式（１）は、第２レンズの有効径内における最大面角度を規定している。条件式（１）の下限を上回ることで、第２レンズの物体側面の一部が像側に傾いた面となるが、正のパワーを持った第１レンズで収束された光が第２レンズに入射する際に、大きな入射角にならない。そのため、球面収差の発生を小さくすることができ、高性能化に有利になる。一方、条件式（１）の上限を下回ることで、第２レンズの物体側面に面角度がつきすぎないため、過剰な正のパワーを持つことによる、球面収差やコマ収差の発生を防ぐことができる。
【００１０】
条件式（１）の値については、より望ましくは、下式の範囲がよい。
２５．０＜θＳｐ＜５０．０    …    （１）'
さらに望ましくは、下式の範囲がよい。
３５．０＜θＳｐ＜５０．０    …    （１）" 
【００１１】
本発明の具体的な側面によれば、上記撮像レンズにおいて、第７レンズは像側面が光軸近傍において凹面であり、かつ負レンズである。この場合、最終レンズである第７レンズを負レンズとし、かつ像側面を凹面とすることで、第７レンズから像面を遠ざけることになるため、必要なバックフォーカスを確保することができる。例えばオートフォーカスの撮像装置においては、レンズとセンサーとの距離を変動させる機構が付与されるため、レンズとセンサーとの距離はある程度大きいことが求められ、上記のようにバックフォーカスを確保することが重要になる。
【００１２】
本発明の別の側面によれば、上記撮像レンズは、第４レンズよりも物体側に開口絞りを有する。この場合、開口絞りを第４レンズよりも物体側に配置することで、射出瞳位置を像面から遠ざけることができるため、像面への光線の入射角を小さく抑えることができる。
【００１３】
本発明のさらに別の側面では、第３レンズは像側に凹面を向けた負レンズである。この場合、第３レンズを負レンズとすることで、軸上光束径の太い位置に負レンズを配置することになるため、色収差の補正が良好にでき、高性能化が可能になる。また、第３レンズが像側に凹面を向けることで、第１レンズと第２レンズとで収束されてきた軸上光線束の光線が第３レンズの像側面へ入射する際の入射角が小さくなるため、球面収差の発生が小さくなり、収差補正が良好になる。
【００１４】
本発明のさらに別の側面では、第１レンズと第２レンズとは、物体側に凸面を向けている。この場合、正のパワーを持った第１レンズと第２レンズとが物体側に凸面を向けていることで、主点位置が物体側に寄るため、撮像レンズ全系の主点位置も物体側に寄せることが容易になり、光学全長の短縮に有利になる。
【００１５】
本発明のさらに別の側面では、第１レンズは物体側に所定の開口を持つ第１絞り部材を有し、第３レンズは物体側及び像側の少なくとも一方に所定の開口を持つ第２絞り部材を有し、以下の条件式を満たす。
０．７０＜Φｓ３／Φｓ１＜１．００    …    （２）
ただし、
Φｓ１：第１絞り部材の開口径
Φｓ３：第２絞り部材の開口径
なお、第３レンズの物体側及び像側のいずれにも第２絞り部材が配置される場合、第３レンズの物体側及び像側のいずれの値Φｓ３を用いても条件式（２）を満たす。また、第１絞り部材及び第２絞り部材のいずれか一方が開口絞りであってもよい。
【００１６】
条件式（２）は、第１レンズの物体側に配置された第１絞り部材の開口径と第３レンズの物体側及び像側の少なくとも一方に配置された第２絞り部材の開口径の比を規定している。大口径レンズにおいては、コマ収差の発生が顕著になり、補正することが難しい。コマ収差を改善させるためには、絞り部材を配置し周辺像高に結像する光束の一部を遮断することが考えられるが、条件式（２）の上限を下回ることで、負レンズの第３レンズ近傍に配置された第２絞り部材の開口径を、最も物体側に配置される第１絞り部材の径に対して比較的小さくすることになるため、周辺像高の光束を適切に遮断することができ、コマ収差を改善することができる。一方、条件式（２）の下限を上回ることで、第３レンズ近傍の第２絞り部材の開口径が小さくなりすぎないため、光を遮断しすぎることによる、周辺像高の光量の不足を防ぐことができる。
【００１７】
条件式（２）の値については、より望ましくは、下式の範囲がよい。
０．７５＜Φｓ３／Φｓ１＜０．９５    …    （２）'
さらに望ましくは、下式の範囲がよい。
０．８０＜Φｓ３／Φｓ１＜０．９０    …    （２）"
【００１８】
本発明のさらに別の側面では、上記撮像レンズは、以下の条件式を満たす。
１．０＜ΦＬ１／ΦＬ３＜１．４    …    （３）
ただし、
ΦＬ１：第１レンズの物体側面と像側面のうち、大きい方の有効径
ΦＬ３：第３レンズの物体側面と像側面のうち、大きい方の有効径
【００１９】
条件式（３）は、第１レンズと第３レンズの有効径の比を規定している。第３レンズは軸上光束に対しては軸上色収差や球面収差の補正、周辺光束に対してはコマ収差の補正の効果がある。低背化する際に強い正のパワーを持った第１レンズ又は第２レンズで発生する上記諸収差を補正するために第３レンズには強いパワーが必要になる。しかしながら、第３レンズの有効径が大きくなってしまうと、軸上光束と周辺光束とが第３レンズの異なる位置を通過することになるため、軸上光束と周辺光束との両方に対して強いパワーを発揮することができない。条件式（３）の下限を上回ることで、第３レンズの有効径が小さくなり、軸上光束と周辺光束とが第３レンズ内の近い位置を通過するようになる。結果として、両方に対して強いパワーを発揮できるようになるため、球面収差や軸上色収差とコマ収差との両方を補正することが可能になる。また、条件式（３）の上限を下回ることで、第３レンズの有効径が小さくなりすぎることによる周辺像高の光束のケラレが発生し、周辺像高の光量が不足することを防ぐことができる。また、第１レンズ又は第２レンズの有効径が大きくなりすぎ、第１レンズ又は第２レンズが光軸方向に厚くなってしまうことによる光学全長の大型化を避けることができる。
【００２０】
条件式（３）の値については、より望ましくは、下式の範囲がよい。
１．０５＜ΦＬ１/ΦＬ３＜１．３５    …    （３）'
さらに望ましくは、下式の範囲がよい。
１．１＜ΦＬ１/ΦＬ３＜１．３    …    （３）"
【００２１】
本発明のさらに別の側面では、上記撮像レンズは、以下の条件式を満たす。
０．２＜ｆ１／ｆ２＜１．４    …    （４）
ただし、
ｆ１：第１レンズの焦点距離
ｆ２：第２レンズの焦点距離
【００２２】
条件式（４）は、第１レンズと第２レンズの焦点距離の比を規定している。条件式（４）の範囲を満たすことで、正レンズである第１レンズと第２レンズのパワーのバランスが適切になる。そのため、レンズのパワーが偏り、どちらかのレンズが極端に強いパワーを持って発生する収差が大きくなることを防ぐことができる。
【００２３】
条件式（４）の値については、より望ましくは、下式の範囲がよい。
０．３５＜ｆ１／ｆ２＜１．３５    …    （４）'
さらに望ましくは、下式の範囲がよい。
０．４＜ｆ１／ｆ２＜１．３    …    （４）"
【００２４】
本発明のさらに別の側面では、上記撮像レンズは、以下の条件式を満たす。
−１．０＜ｆ１２／ｆ３＜−０．４    …    （５）
ただし、
ｆ１２：第１レンズ及び第２レンズの合成焦点距離
ｆ３：第３レンズの焦点距離
【００２５】
条件式（５）は、第１レンズ及び第２レンズの合成焦点距離と、第３レンズの焦点距離の比を規定している。条件式（５）の下限を上回ることで、正の第１レンズと正の第２レンズとに対し、負の第３レンズのパワーが強くなりすぎないため、球面収差やコマ収差の補正を適切にすることができる。また、条件式（５）の上限を下回ることで、負の第３レンズが第１レンズと第２レンズとに対し、ある程度強いパワーを持つため、色収差の補正が良好になり、高性能化することができる。
【００２６】
条件式（５）の値については、より望ましくは、下式の範囲がよい。
−０．９＜ｆ１２／ｆ３＜−０．４５    …    （５）'
さらに望ましくは、下式の範囲がよい。
−０．８＜ｆ１２／ｆ３＜−０．５    …    （５）"
【００２７】
本発明のさらに別の側面では、第４レンズは正レンズであり、以下の条件式を満たす。
１．５＜ｆ４／ｆ＜５．０    …    （６）
ただし、
ｆ４：第４レンズの焦点距離
ｆ：撮像レンズ全系の焦点距離
【００２８】
条件式（６）は、第４レンズの焦点距離と撮像レンズ全系の焦点距離の比を規定している。第４レンズは正のパワーを持つことで、第１レンズや第２レンズとの間で正のパワーを分担し、収差の発生を抑えることができるが、パワーが強くなりすぎると撮像レンズ全系の主点位置が像側に寄ってしまい、光学全長の短縮に不利になる。また、第４レンズのパワーが弱すぎると撮像レンズ全系の焦点距離を短くすることができず、望遠化してしまう。条件式（６）の下限を上回ることで、第４レンズの正のパワーが強くなりすぎることがないため、撮像レンズ全系の主点位置を物体側に寄せておくことができ、光学全長の短縮に有利になる。また、条件式（６）の上限を下回ることで、第４レンズがある程度強い正のパワーを持つことになるため、撮像レンズ全系の焦点距離を短くすることができ、望遠化することを防ぐことができる。
【００２９】
条件式（６）の値については、より望ましくは、下式の範囲がよい。
１．６＜ｆ４／ｆ＜４．０    …    （６）'
さらに望ましくは、下式の範囲がよい。
１．７＜ｆ４／ｆ＜３．５    …    （６）"
【００３０】
本発明のさらに別の側面では、実質的にパワーを持たない光学素子をさらに有する。
【００３１】
本発明に係る撮像装置は、上述の撮像レンズと、撮像素子とを備える。本発明の撮像レンズを用いることで、小型で明るく高性能の撮像装置を得ることができる。
【００３２】
本発明に係る携帯端末は、上述の撮像装置を備える。本発明の撮像装置を用いることで、小型で高性能の携帯端末を得ることができる。
【図面の簡単な説明】
【００３３】
【図１】本発明の一実施形態の撮像レンズを備える撮像装置を説明する図である。
【図２】レンズや絞り部材等の状態を説明する部分拡大断面図である。
【図３】図１の撮像装置を備える携帯端末を説明するブロック図である。
【図４】（Ａ）及び（Ｂ）は、それぞれ携帯端末の表面側及び裏面側の斜視図である。
【図５】実施例１の撮像レンズの断面図である。
【図６】（Ａ）〜（Ｅ）は、実施例１の撮像レンズの収差図である。
【図７】実施例２の撮像レンズの断面図である。
【図８】（Ａ）〜（Ｅ）は、実施例２の撮像レンズの収差図である。
【図９】実施例３の撮像レンズの断面図である。
【図１０】（Ａ）〜（Ｅ）は、実施例３の撮像レンズの収差図である。
【図１１】実施例４の撮像レンズの断面図である。
【図１２】（Ａ）〜（Ｅ）は、実施例４の撮像レンズの収差図である。
【図１３】実施例５の撮像レンズの断面図である。
【図１４】（Ａ）〜（Ｅ）は、実施例５の撮像レンズの収差図である。
【図１５】実施例６の撮像レンズの断面図である。
【図１６】（Ａ）〜（Ｅ）は、実施例６の撮像レンズの収差図である。
【図１７】実施例７の撮像レンズの断面図である。
【図１８】（Ａ）〜（Ｅ）は、実施例７の撮像レンズの収差図である。
【図１９】実施例８の撮像レンズの断面図である。
【図２０】（Ａ）〜（Ｅ）は、実施例８の撮像レンズの収差図である。
【発明を実施するための形態】
【００３４】
以下、図１等を参照して、本発明の一実施形態である撮像レンズ等について説明する。なお、図１で例示した撮像レンズ１０は、後述する実施例１の撮像レンズ１１と同一の構成となっている。
【００３５】
図１は、本発明の一実施形態である撮像レンズを備えるカメラモジュールを説明する断面図である。
【００３６】
カメラモジュール５０は、被写体像を形成する撮像レンズ１０と、撮像レンズ１０によって形成された被写体像を検出する撮像素子５１と、この撮像素子５１を背後から保持するとともに配線等を有する配線基板５２と、撮像レンズ１０等を保持するとともに物体側からの光束を入射させる開口部ＯＰを有する鏡筒部５４とを備える。撮像レンズ１０は、被写体像を撮像素子５１の像面又は撮像面（被投影面）Ｉに結像させる機能を有する。このカメラモジュール５０は、後述する撮像装置に組み込まれて使用されるが、単独でも撮像装置と呼ぶものとする。
【００３７】
撮像レンズ１０は、物体側から順に、第１レンズＬ１と、第２レンズＬ２と、第３レンズＬ３と、第４レンズＬ４と、第５レンズＬ５と、第６レンズＬ６と、第７レンズＬ７とを備える。これらの第１〜第７レンズＬ１〜Ｌ７の間、第１レンズＬ１の物体側等の適所には、開口絞りＡＳや第１及び第２絞り部材ＦＳ１，ＦＳ２が配置されている。なお、第１及び第２絞り部材ＦＳ１，ＦＳ２の位置に配置されるものは、開口絞りＡＳとなる場合もある。
【００３８】
撮像レンズ１０は、小型であり、その尺度として、以下の式（７）を満たすレベルの小型化を目指している。
Ｌ／２Ｙ＜１．００      …      （７）
ここで、Ｌは、撮像レンズ１０全系の最も物体側のレンズ面（物体側面Ｓ１１）から像側焦点までの光軸ＡＸ上の距離であり、２Ｙは、撮像素子５１の撮像面対角線長（撮像素子５１の矩形実効画素領域の対角線長）である。像側焦点とは、撮像レンズ１０に光軸ＡＸと平行な平行光線が入射した場合の像点をいう。この範囲を満たすことで、カメラモジュール５０全体の小型化が可能となる。
【００３９】
なお、撮像レンズ１０の最も像側の面（像側面Ｓ７２）と像側焦点位置との間に、光学的ローパスフィルター、赤外線カットフィルター、又は撮像素子パッケージのシールガラス等の平行平板Ｆが配置される場合には、平行平板Ｆ部分は空気換算距離としたうえで上記Ｌの値を計算するものとする。また、値Ｌ／２Ｙについては、より望ましくは下式の範囲とする。
Ｌ／２Ｙ＜０．９５      …      （７）'
【００４０】
撮像素子５１は、固体撮像素子からなるセンサーチップである。撮像素子５１の光電変換部５１ａは、ＣＣＤ（電荷結合素子）やＣＭＯＳ（相補型金属酸化物半導体）からなり、入射光をＲＧＢ毎に光電変換し、そのアナログ信号を出力する。受光部としての光電変換部５１ａの光電変換面は、像面又は撮像面（被投影面）Ｉとなっている。
【００４１】
配線基板５２は、撮像素子５１を他の部材（例えば鏡筒部５４）に対してアライメントして固定する役割を有する。配線基板５２は、外部回路から撮像素子５１や駆動機構５５ａを駆動するための電圧や信号の供給を受けたり、また、検出信号を上記外部回路へ出力したりすることを可能としている。
【００４２】
撮像素子５１の撮像レンズ１０側には、不図示のホルダー部材によって、平行平板Ｆが撮像素子５１等を覆うように配置・固定されている。
【００４３】
鏡筒部５４は、撮像レンズ１０を収納し保持している。鏡筒部５４は、撮像レンズ１０を構成するレンズＬ１〜Ｌ７のうちいずれか１つ以上のレンズを光軸ＡＸに沿って移動させることにより、撮像レンズ１０の合焦の動作を可能にするため、例えば駆動機構５５ａを有している。駆動機構５５ａは、例えばボイスコイルモーターとガイドとを備え、特定レンズ又は全レンズを光軸ＡＸに沿って往復移動させる。
【００４４】
図２等を参照して、鏡筒部５４に保持される撮像レンズ１０の状態を説明する。撮像レンズ１０を構成する第１〜第７レンズＬ１〜Ｌ７は、周囲外側に支持用の比較的肉厚のフランジ部３９をそれぞれ有しており、フランジ部３９を介して隣接するレンズと積層され、鏡筒部分５４ａ内に保持されている。これらのレンズＬ１〜Ｌ７の間には、例えばフランジ部３９に挟まれて１つの開口絞りＡＳと、５つの遮光絞りＦＳとが配置され、迷光の発生を防止している。鏡筒部分５４ａの物体側には、例えば第１レンズＬ１の有効径の周囲を覆うような遮光絞りＦＳが形成されている。また、第７レンズＬ７の像側にも遮光絞りＦＳが配置されている。
【００４５】
次に、図３、図４（Ａ）及び４（Ｂ）を参照して、図１に例示されるカメラモジュール５０を搭載した携帯電話機その他の携帯端末３００の一例について説明する。
【００４６】
携帯端末３００は、スマートフォン型の携帯通信端末であり、カメラモジュール５０を有する撮像装置１００と、各部を統括的に制御するとともに各処理に応じたプログラムを実行する制御部（ＣＰＵ）３１０と、通信に関連するデータ、撮像した映像等を表示するとともにユーザーの操作を受け付けるタッチパネルである表示操作部３２０と、電源スイッチ等を含む操作部３３０と、アンテナ３４１を介して外部サーバー等との間の各種情報通信を実現するための無線通信部３４０と、携帯端末３００のシステムプログラムや各種処理プログラム及び端末ＩＤ等の必要な諸データを記憶している記憶部（ＲＯＭ）３６０と、制御部３１０によって実行される各種処理プログラムやデータ、処理データ、若しくは撮像装置１００による撮像データ等を一時的に格納する作業領域として用いられる一時記憶部（ＲＡＭ）３７０とを備えている。
【００４７】
撮像装置１００は、既に説明したカメラモジュール５０のほかに、制御部１０３、光学系駆動部１０５、撮像素子駆動部１０７、画像メモリー１０８等を備える。
【００４８】
制御部１０３は、撮像装置１００の各部を制御する。制御部１０３は、ＣＰＵ（Central Processing Unit）、ＲＡＭ（Random Access Memory）、ＲＯＭ（Read Only Memory）等を含み、ＲＯＭから読み出されてＲＡＭに展開された各種プログラムとＣＰＵとの協働によって各種処理を実行する。なお、制御部１０３は、撮像装置１００外の制御部３１０と通信可能に接続されており、制御信号や画像データの授受が可能になっている。
【００４９】
光学系駆動部１０５は、制御部１０３の制御により合焦、露出等を行う際に、撮像レンズ１０の駆動機構５５ａを動作させて撮像レンズ１０の状態を制御する。光学系駆動部１０５は、駆動機構５５ａを動作させて撮像レンズ１０中の特定レンズ又は全レンズを光軸ＡＸに沿って適宜移動させることにより、撮像レンズ１０に合焦動作等を行わせる。
【００５０】
撮像素子駆動部１０７は、制御部１０３の制御により露出等を行う際に、撮像素子５１の動作を制御する。具体的には、撮像素子駆動部１０７は、タイミング信号に基づいて撮像素子５１を走査駆動し、これから画像信号を取り出す。また、撮像素子駆動部１０７は、撮像素子５１によって検出されデジタル化された画像信号に対して、歪み補正、色補正、圧縮等の各種画像処理を施すことができる。
【００５１】
画像メモリー１０８は、デジタル化された画像信号を撮像素子駆動部１０７から受け取って、読み出し及び書き込み可能な画像データとして記憶する。
【００５２】
ここで、上記撮像装置１００を含む携帯端末３００の撮影動作を説明する。携帯端末３００をカメラとして動作させるカメラモードに設定されると、被写体のモニタリング（スルー画像表示）と、画像撮影実行とが行われる。モニタリングにおいては、撮像レンズ１０を介して得られた被写体の像が、撮像素子５１の撮像面Ｉ（図１参照）に結像される。撮像素子５１は、撮像素子駆動部１０７によって走査駆動され、一定周期毎に結像した光像に対応する光電変換出力としてのアナログ信号を１画面分検出する。
【００５３】
このアナログ信号は、撮像素子５１に付属する回路においてＲＧＢの各原色成分毎に適宜ゲイン調整された後に、デジタルデータに変換される。そのデジタルデータに対しては、撮像素子駆動部１０７にて画素補間処理及びＹ補正処理を含むカラープロセス処理が行われて、デジタル値の輝度信号Ｙ及び色差信号Ｃｂ，Ｃｒ（画像データ）が生成されて画像メモリー１０８に格納される。格納されたデジタルデータは、画像メモリー１０８から定期的に読み出されてビデオ信号の生成に利用され、制御部１０３及び制御部３１０を介して、表示操作部３２０に出力される。
【００５４】
この表示操作部３２０は、モニタリングにおいてはファインダーとして機能し、撮像画像をリアルタイムに表示することとなる。この状態で、随時、ユーザーが表示操作部３２０を介して行う操作入力に基づいて、光学系駆動部１０５の駆動により撮像レンズ１０の合焦、露出等が設定される。
【００５５】
このようなモニタリング状態において、ユーザーが表示操作部３２０を適宜操作することにより、静止画像データが撮影される。表示操作部３２０の操作内容に応じて、画像メモリー１０８に格納された１コマの画像データが読み出されて、撮像素子駆動部１０７により圧縮等の処理が施される。その処理された画像データは、制御部１０３及び制御部３１０を介して、例えば一時記憶部３７０等に記録される。
【００５６】
なお、上述の撮像装置１００は、本発明に好適な撮像装置の一例であり、本発明は、これに限定されるものではない。
【００５７】
すなわち、カメラモジュール５０又は撮像レンズ１０を搭載した撮像装置は、スマートフォン型の携帯端末３００に内蔵されるものに限らず、携帯電話、ＰＨＳ（Personal Handyphone System）等に内蔵されるものであってもよく、ＰＤＡ（Personal Digital Assistant）、タブレットパソコン、モバイルパソコン、デジタルスチルカメラ、ビデオカメラ等に内蔵されるであってもよい。
【００５８】
以下、図１等に戻って、本発明の一実施形態である撮像レンズ１０について詳細に説明する。図１に示す撮像レンズ１０は、撮像素子５１の撮像面（被投影面）Ｉに被写体像を結像させるものであって、物体側から順に、物体側に凸面を向けた正の第１レンズＬ１と、物体側に凸面を向けた正の第２レンズＬ２と、像側に凹面を向けた負の第３レンズＬ３と、正の第４レンズＬ４と、第５レンズＬ５と、第６レンズＬ６と、光軸ＡＸ近傍で像側に凹面を向けた負の第７レンズＬ７と、を備える。上記撮像レンズ１０において、最も像側の第７レンズＬ７の物体側面Ｓ７１及び像側面Ｓ７２は、非球面であり、特に像側面Ｓ７２は、中心以外の有効径内の位置Ｐに極値を持つ。撮像レンズ１０は、第４レンズＬ４より物体側に開口絞りＡＳを有する。図示の例では、開口絞りＡＳが第２及び第３レンズＬ２，Ｌ３の間に配置されている。この撮像レンズ１０において、第１レンズＬ１の物体側に第１絞り部材ＦＳ１と、第３レンズＬ３の物体側及び像側の少なくとも一方に第２絞り部材ＦＳ２とが配置されている。ここで、第１絞り部材ＦＳ１は、所定の第１開口を持った遮光絞りＦＳとして機能し、第２絞り部材ＦＳ２は、所定の第２開口を持った遮光絞りＦＳとして機能している。また、第１絞り部材ＦＳ１及び第２絞り部材ＦＳ２のいずれか一方が開口絞りＡＳであってもよい。図示の例では、第３レンズＬ３の物体側に配置された開口絞りＡＳは、第２絞り部材ＦＳ２として、条件式（２）を満たす。また、図２中の値Φｓ３／２は、便宜上、第３レンズＬ３の像側の第２絞り部材ＦＳ２の開口径の半分を示している。
【００５９】
上記撮像レンズ１０によれば、最も物体側に配置される第１レンズＬ１と第２レンズＬ２とを正レンズとすることで、撮像レンズ１０全系の主点位置が物体側に寄るため、光学全長の短縮に有利になる。また、同時に強い正のパワーを２枚のレンズで分担できるため、球面収差やコマ収差の補正を良好にすることができ、高性能化することができる。また、第７レンズＬ７の像側面Ｓ７２を中心以外の有効径内の位置Ｐに極値を持った非球面とすることで、周辺像高の光線が像面又は撮像面Ｉへ入射する際の入射角を小さく抑えることが可能になる。そのため、撮像素子５１の受光効率を向上させることができる。
【００６０】
上記撮像レンズ１０においては、値θＳｐを第２レンズＬ２の物体側面Ｓ２１の有効径内における最大面角度として、以下の条件式（１）
１５．０＜θＳｐ＜５０．０    …    （１）
を満足するものとなっている。
【００６１】
なお、条件式（１）の値θＳｐについては、下記の条件式（１）'及び（１）"の範囲内とすることがより望ましい。
２５．０＜θＳｐ＜５０．０    …    （１）'
３５．０＜θＳｐ＜５０．０    …    （１）"
【００６２】
上記撮像レンズ１０によれば、値θＳｐが条件式（１）の下限を上回ることで、第２レンズＬ２の物体側面Ｓ２１の一部が像側に傾いた面となるが、正のパワーを持った第１レンズＬ１で収束された光が第２レンズＬ２に入射する際に、大きな入射角にならない。そのため、球面収差の発生を小さくすることができ、高性能化に有利になる。一方、値θＳｐが条件式（１）の上限を下回ることで、第２レンズＬ２の物体側面Ｓ２１に面角度がつきすぎないため、過剰な正のパワーを持つことによる、球面収差やコマ収差の発生を防ぐことができる。
【００６３】
本実施形態の撮像レンズ１０は、上記条件式（１）に加えて、既に説明した条件式（２）
０．７０＜Φｓ３／Φｓ１＜１．００    …    （２）
を満足する。ただし、値Φｓ１は、第１絞り部材ＦＳ１の開口径であり、値Φｓ３は、第２絞り部材ＦＳ２の開口径である。第３レンズＬ３の物体側及び像側のいずれにも第２絞り部材ＦＳ２が配置される場合、第３レンズＬ３の物体側及び像側のいずれの値Φｓ３を用いても条件式（２）を満たす。
なお、条件式（２）の値Φｓ３／Φｓ１については、下記の条件式（２）'及び（２）"の範囲内とすることがより望ましい。
０．７５＜Φｓ３／Φｓ１＜０．９５    …    （２）'
０．８０＜Φｓ３／Φｓ１＜０．９０    …    （２）"
【００６４】
本実施形態の撮像レンズ１０は、上記条件式（１）に加えて、既に説明した条件式（３）
１．０＜ΦＬ１／ΦＬ３＜１．４    …    （３）
を満足する。ただし、値ΦＬ１は、第１レンズＬ１の物体側面Ｓ１１と像側面Ｓ１２のうち、大きい方の有効径であり、値ΦＬ３は、第３レンズＬ３の物体側面Ｓ３１と像側面Ｓ３２のうち、大きい方の有効径である。
なお、条件式（３）の値ΦＬ１／ΦＬ３については、下記の条件式（３）'及び（３）"の範囲内とすることがより望ましい。
１．０５＜ΦＬ１/ΦＬ３＜１．３５    …    （３）'
１．１＜ΦＬ１/ΦＬ３＜１．３    …    （３）"
【００６５】
本実施形態の撮像レンズ１０は、上記条件式（１）に加えて、既に説明した条件式（４）
０．２＜ｆ１／ｆ２＜１．４    …    （４）
を満足する。ただし、値ｆ１は、第１レンズＬ１の焦点距離であり、値ｆ２は、第２レンズＬ２の焦点距離である。
なお、条件式（４）の値ｆ１／ｆ２については、下記の条件式（４）'及び（４）"の範囲内とすることがより望ましい。
０．３５＜ｆ１／ｆ２＜１．３５    …    （４）'
０．４＜ｆ１／ｆ２＜１．３    …    （４）"
【００６６】
本実施形態の撮像レンズ１０は、上記条件式（１）に加えて、既に説明した条件式（５）
−１．０＜ｆ１２／ｆ３＜−０．４    …    （５）
を満足する。ただし、値ｆ１２は、第１レンズＬ１及び第２レンズＬ２の合成焦点距離であり、値ｆ３は、第３レンズＬ３の焦点距離である。
なお、条件式（５）の値ｆ１２／ｆ３については、下記の条件式（５）'及び（５）"の範囲内とすることがより望ましい。
−０．９＜ｆ１２／ｆ３＜−０．４５    …    （５）'
−０．８＜ｆ１２／ｆ３＜−０．５    …    （５）"
【００６７】
本実施形態の撮像レンズ１０は、上記条件式（１）に加えて、既に説明した条件式（６）
１．５＜ｆ４／ｆ＜５．０    …    （６）
を満足する。ただし、値ｆ４は、第４レンズＬ４の焦点距離であり、値ｆは、撮像レンズ１０全系の焦点距離である。
なお、条件式（６）の値ｆ４／ｆについては、下記の条件式（６）'及び（６）"の範囲内とすることがより望ましい。
１．６＜ｆ４／ｆ＜４．０    …    （６）'
１．７＜ｆ４／ｆ＜３．５    …    （６）"
【００６８】
本実施形態の撮像レンズ１０では、特に図示していないが、実質的にパワーを持たない光学素子をさらに備えるものとできる。
【００６９】
〔実施例〕
以下、本発明に係る撮像レンズの具体的な実施例について説明する。各実施例において、ｒは曲率半径を意味し、ｄは軸上面間隔を意味し、ｎｄはレンズ材料のｄ線に対する屈折率を意味し、ｖｄはレンズ材料のアッベ数を意味し、「ｅｆｆ．ｄｉａ．」は有効径を意味する。また、各面番号の後に「＊」が記載されている面が非球面形状を有する面であり、非球面の形状は、面の頂点を原点とし、光軸ＡＸ方向にＸ軸をとり、光軸ＡＸと垂直方向の高さをｈとして以下の「数１」で表す。
【数１】
2015072402.tif 000003
ただし、
Ａｉ：ｉ次の非球面係数
Ｒ：曲率半径
Ｋ：円錐定数
さらに、各実施例において、「ＳＴＯ」は開口絞りＡＳを意味し、「ＦＳ」は遮光絞りＦＳを意味する。
なお、各実施例の撮像レンズ１０が前提とする使用基本波長は５８７．５６ｎｍであり、曲率半径等の面形状の単位はｍｍである。
【００７０】
〔実施例１〕
実施例１のレンズ面のデータを以下の表１に示す。
〔表１〕
面番号    r           d        nd       vd     eff. dia.
1 FS  INFINITY      0.0000                     2.700
2*      3.0877      0.2429   1.54470   56      2.625
3*     10.0569      0.0500                     2.537
4*      3.8007      0.6008   1.54470   56      2.584
5*    -38.7267      0.1500                     2.488
STO    INFINITY     -0.1000                     2.356
7*      1.5698      0.1500   1.64250   22.5    2.301
8*      1.0947      0.4196                     2.113
9 FS  INFINITY      0.1000                     2.160
10*      8.9139      0.4687   1.54470   56      2.260
11*    -11.1215      0.2354                     2.478
12*    -12.0730      0.3091   1.64250   22.5    2.736
13*    155.8189      0.2481                     3.052
14*      5.3402      0.6051   1.54470   56      3.268
15*     -2.3027      0.2949                     3.772
16*      3.5400      0.3154   1.54470   56      4.487
17*      0.9517      0.7000                     4.998
18     INFINITY      0.1100   1.51633   64.1    5.800
19     INFINITY      0.0998
【００７１】
実施例１のレンズ面の非球面係数を以下の表２に示す。
〔表２〕
第2面
K=3.14469e+000, A4=-6.95429e-002, A6=1.31284e-002, 
A8=1.63304e-002, A10=-9.21230e-003, A12=3.19837e-003, 
A14=-8.18358e-004
第3面
K=0.00000e+000, A4=2.58570e-002, A6=-8.95477e-003, 
A8=1.95481e-002, A10=-1.45187e-003
第4面
K=0.00000e+000, A4=1.28437e-001, A6=-5.40014e-002, 
A8=1.69899e-002, A10=3.32878e-003, A12=-4.10499e-003, 
A14=1.28852e-003
第5面
K=-7.99672e+001, A4=1.11510e-001, A6=-1.57728e-001, 
A8=1.20500e-001, A10=-6.74656e-002, A12=2.67600e-002, 
A14=-4.86280e-003
第7面
K=-1.03254e+001, A4=-1.90187e-002, A6=-8.38271e-002, 
A8=5.85852e-002, A10=-1.32169e-002, A12=6.99676e-003, 
A14=-3.54185e-003
第8面
K=-5.18781e+000, A3=1.38754e-003, A4=-2.37274e-002, 
A5=-3.20132e-003, A6=5.23434e-002, A8=-1.27542e-001, 
A10=1.74784e-001, A12=-1.04428e-001, A14=2.54802e-002
第10面
K=4.29327e+001, A3=-2.62788e-002, A4=7.21461e-002, 
A5=-2.60745e-001, A6=2.51901e-001, A8=-1.73488e-001, 
A10=1.23271e-001, A12=-7.38758e-002, A14=1.94337e-002
第11面
K=3.04695e+001, A3=2.32952e-002, A4=-1.88217e-001, 
A5=1.02995e-001, A6=-5.89021e-002, A8=2.71134e-002, 
A10=-1.63347e-002, A12=2.80196e-003
第12面
K=7.30212e+001, A3=9.58973e-002, A4=-4.80614e-001, 
A5=3.96710e-001, A6=-2.12112e-001, A8=1.07657e-001, 
A10=-2.35607e-002, A12=-7.15687e-004
第13面
K=5.79513e+001, A3=7.30018e-002, A4=-3.61439e-001, 
A5=1.67587e-001, A6=-1.34589e-002, A8=1.20160e-002, 
A10=2.99846e-003, A12=-2.61492e-003, A14=9.51885e-005
第14面
K=7.80952e+000, A3=-1.80172e-002, A4=3.57360e-002, 
A5=-1.29570e-001, A6=7.05478e-002, A8=-3.21922e-002, 
A10=1.38504e-002, A12=-4.03986e-003, A14=5.43929e-004
第15面
K=-1.58022e+001, A3=-1.14890e-001, A4=1.32161e-001, 
A5=-1.39512e-002, A6=-3.92826e-002, A8=-5.44582e-003, 
A10=7.43779e-003, A12=-1.47065e-003, A14=8.18453e-005
第16面
K=-7.87638e+001, A3=-1.82043e-001, A4=-1.37148e-001, 
A5=7.15714e-002, A6=2.93848e-002, A8=-4.85530e-003, 
A10=-4.60160e-004, A12=1.31370e-004, A14=-7.23796e-006
第17面
K=-5.01194e+000, A3=-1.18906e-001, A4=-7.87955e-002, 
A5=1.07798e-001, A6=-3.49386e-002, A8=1.66878e-003, 
A10=-1.65037e-004, A12=3.77975e-006, A14=1.32544e-006
なお、これ以降（表のレンズデータを含む）において、１０のべき乗数（たとえば２．５×１０−００２）を、ｅ（たとえば２．５ｅ−００２）を用いて表すものとする。
【００７２】
実施例１の撮像レンズ１０の特性を以下に列挙する。
FL        3.786
Fno       1.44
w        74.22
Ymax      2.921
BF        0.910
TL        5.000
BFa       0.872
TLa       4.962
ここで、ＦＬは撮像レンズ１０全系の焦点距離を意味し、ＦｎｏはＦナンバーを意味し、ｗは対角線画角を意味し、Ｙｍａｘは最大像高、すなわち撮像素子の撮像面対角線長の半値を意味し、ＢＦはバックフォーカス（最終レンズ〜像面）を意味し、ＴＬは系全長を意味する。また、ＢＦａはバックフォーカス（最終レンズ〜撮像面Ｉ（ただし、平行平板Ｆを空気換算長としたときのバックフォーカス）を意味し、ＴＬａは系全長（最終レンズ〜撮像面Ｉ（ただし、平行平板Ｆを空気換算長としたときの系全長）を意味する。なお、以上の符号は、これ以降の実施例でも同様の意味を有するものとする。
【００７３】
実施例１の単レンズデータを以下の表３に示す。
〔表３〕
レンズ番号 面番号   焦点距離       有効径
Elem   Surfs   Focal Length    Diameter
1     2- 3      8.0809        2.625
2     4- 5      6.3857        2.584
3     7- 8     -6.4234        2.301
4    10-11      9.1595        2.478
5    12-13    -17.4268        3.052
6    14-15      3.0386        3.772
7    16-17     -2.4971        4.998
【００７４】
図５は、実施例１の撮像レンズ１１等の断面図である。撮像レンズ１１は、物体側より順に、光軸ＡＸ周辺で正の屈折力を有し物体側に凸面を向けたメニスカスの第１レンズＬ１と、光軸ＡＸ周辺で正の屈折力を有し物体側に凸面を向けた略凸平の第２レンズＬ２と、光軸ＡＸ周辺で負の屈折力を有し像側に凹面を向けたメニスカスの第３レンズＬ３と、光軸ＡＸ周辺で正の屈折力を有する両凸の第４レンズＬ４と、光軸ＡＸ周辺で負の屈折力を有し物体側に凹面を向けた略凹平の第５レンズＬ５と、光軸ＡＸ周辺で正の屈折力を有する両凸の第６レンズＬ６と、光軸ＡＸ周辺で負の屈折力を有し像側に凹面を向けたメニスカスの第７レンズＬ７とを備える。全てのレンズＬ１〜Ｌ７は、プラスチック材料から形成されている。第２及び第３レンズＬ２，Ｌ３の間には、開口絞り（ＳＴＯ）ＡＳが配置されている。つまり、第３レンズＬ３の物体側には、開口絞りＡＳとして第２絞り部材ＦＳ２が配置されている。第１レンズＬ１の外縁の物体側と、第３及び第４レンズＬ３，Ｌ４の間とには、遮光絞りＦＳが配置されている。具体的には、第１レンズＬ１の物体側には、第１絞り部材ＦＳ１が配置され、第３レンズＬ３の像側には、第２絞り部材ＦＳ２が配置されている。なお、例えば第１レンズＬ１の光入射面と物体との間には、適当な厚さの平行平板（不図示）を配置することができる。
【００７５】
図６（Ａ）〜６（Ｃ）は、実施例１の撮像レンズ１１の諸収差図（球面収差、非点収差、歪曲収差）を示し、図６（Ｄ）及び６（Ｅ）は、実施例１の撮像レンズ１１の横収差を示している。
【００７６】
〔実施例２〕
実施例２のレンズ面のデータを以下の表４に示す。
〔表４〕
面番号    r           d        nd       vd     eff. dia.
STO    INFINITY      0.0000                     2.625
2*      3.5362      0.2115   1.54470   56      2.625
3*     15.1944      0.0500                     2.561
4*      4.6491      0.8808   1.54470   56      2.619
5*    -23.2597      0.0500                     2.395
6*      1.7953      0.1500   1.64250   22.5    2.240
7*      1.1983      0.3212                     2.199
8 FS  INFINITY      0.1000                     2.260
9*      7.4020      0.4667   1.54470   56      2.355
10*     -9.2239      0.1785                     2.550
11*    -11.6396      0.2000   1.64250   22.5    2.734
12*    -36.1025      0.4275                     3.000
13*      4.4886      0.4778   1.54470   56      3.496
14*     -3.0787      0.3581                     3.891
15*      3.0407      0.3179   1.54470   56      4.774
16*      0.9606      0.4000                     5.113
17     INFINITY      0.1100   1.51633   64.1    6.000
18     INFINITY      0.4000
【００７７】
実施例２のレンズ面の非球面係数を以下の表５に示す。
〔表５〕
第2面
K=3.74178e+000, A4=-7.39695e-002, A6=2.06813e-002, 
A8=1.32843e-002, A10=-9.71298e-003, A12=3.41304e-003, 
A14=-7.03530e-004
第3面
K=0.00000e+000, A4=3.35801e-002, A6=-1.57042e-002, 
A8=2.04172e-002, A10=-2.72188e-003
第4面
K=0.00000e+000, A4=1.22389e-001, A6=-5.56821e-002, 
A8=1.54569e-002, A10=4.02555e-003, A12=-3.62642e-003, 
A14=9.01883e-004
第5面
K=-8.00000e+001, A4=9.33428e-002, A6=-1.53900e-001, 
A8=1.21016e-001, A10=-6.70573e-002, A12=2.57626e-002, 
A14=-4.86280e-003
第6面 
K=-1.35634e+001, A4=-3.03279e-002, A6=-9.22912e-002, 
A8=5.91280e-002, A10=-1.42962e-002, A12=6.11980e-003, 
A14=-3.54185e-003
第7面
K=-5.91619e+000, A3=-1.94072e-003, A4=-3.55606e-002, 
A5=-8.27216e-003, A6=5.15963e-002, A8=-1.29101e-001, 
A10=1.71563e-001, A12=-1.07214e-001, A14=2.59775e-002
第9面
K=3.51444e+001, A3=-2.17463e-002, A4=6.78250e-002, 
A5=-2.59891e-001, A6=2.54801e-001, A8=-1.74084e-001, 
A10=1.23799e-001, A12=-7.32542e-002, A14=1.65879e-002
第10面
K=1.47378e+001, A3=3.96923e-002, A4=-1.83664e-001, 
A5=1.00258e-001, A6=-5.89501e-002, A8=3.12131e-002, 
A10=-1.46491e-002, A12=6.80230e-004
第11面
K=7.05463e+001, A3=9.58904e-002, A4=-4.94945e-001, 
A5=3.95499e-001, A6=-2.04246e-001, A8=1.12924e-001, 
A10=-2.31689e-002, A12=-1.98811e-003
第12面
K=-8.00000e+001, A3=5.00614e-002, A4=-3.57488e-001, 
A5=1.74376e-001, A6=-1.12669e-002, A8=1.33714e-002, 
A10=3.71003e-003, A12=-2.82517e-003, A14=-1.60630e-004
第13面
K=1.87188e+000, A3=-3.06359e-002, A4=5.38193e-002, 
A5=-1.26625e-001, A6=7.55144e-002, A8=-3.48636e-002, 
A10=1.45460e-002, A12=-3.83816e-003, A14=4.62248e-004
第14面
K=-3.82868e+001, A3=-1.24893e-001, A4=1.08434e-001, 
A5=-2.15384e-003, A6=-3.39530e-002, A8=-6.23491e-003, 
A10=7.20618e-003, A12=-1.45829e-003, A14=8.42125e-005
第15面
K=-4.58205e+001, A3=-1.91512e-001, A4=-1.36185e-001, 
A5=7.22729e-002, A6=2.96169e-002, A8=-4.85569e-003, 
A10=-4.68694e-004, A12=1.31270e-004, A14=-7.14568e-006
第16面
K=-5.03018e+000, A3=-1.06502e-001, A4=-8.51981e-002, 
A5=1.10011e-001, A6=-3.45846e-002, A8=1.52874e-003, 
A10=-1.59674e-004, A12=5.06936e-006, A14=1.17178e-006
【００７８】
実施例２の撮像レンズ１０の特性を以下に列挙する。
FL        3.774
Fno       1.44
w        75.40
Ymax      2.921
BF        0.910
TL        5.100
BFa       0.873
TLa       5.063
【００７９】
実施例２の単レンズデータを以下の表６に示す。
〔表６〕
Elem   Surfs   Focal Length    Diameter
1     2- 3      8.4074        2.625
2     4- 5      7.1935        2.619
3     6- 7     -6.2199        2.240
4     9-10      7.6145        2.550
5    11-12    -26.8215        3.000
6    13-14      3.4289        3.891
7    15-16     -2.7249        5.113
【００８０】
図７は、実施例２の撮像レンズ１２等の断面図である。撮像レンズ１２は、物体側より順に、光軸ＡＸ周辺で正の屈折力を有し物体側に凸面を向けたメニスカスの第１レンズＬ１と、光軸ＡＸ周辺で正の屈折力を有し物体側に凸面を向けた略凸平の第２レンズＬ２と、光軸ＡＸ周辺で負の屈折力を有し像側に凹面を向けたメニスカスの第３レンズＬ３と、光軸ＡＸ周辺で正の屈折力を有する両凸の第４レンズＬ４と、光軸ＡＸ周辺で弱い負の屈折力を有し物体側に凹面を向けた略凹平の第５レンズＬ５と、光軸ＡＸ周辺で正の屈折力を有する両凸の第６レンズＬ６と、光軸ＡＸ周辺で負の屈折力を有し像側に凹面を向けたメニスカスの第７レンズＬ７とを備える。全てのレンズＬ１〜Ｌ７は、プラスチック材料から形成されている。第１レンズＬ１の外縁の物体側には、開口絞り（ＳＴＯ）ＡＳが配置されている。第３及び第４レンズＬ３，Ｌ４の間には、遮光絞りＦＳが配置されている。つまり、第１レンズＬ１の物体側には、開口絞りＡＳとして第１絞り部材ＦＳ１が配置され、第３レンズＬ３の像側には、第２絞り部材ＦＳ２が配置されている。
【００８１】
図８（Ａ）〜８（Ｃ）は、実施例２の撮像レンズ１２の諸収差図（球面収差、非点収差、歪曲収差）を示し、図８（Ｄ）及び８（Ｅ）は、実施例２の撮像レンズ１２の横収差を示している。
【００８２】
〔実施例３〕
実施例３のレンズ面のデータを以下の表７に示す。
〔表７〕
面番号    r           d        nd       vd     eff. dia.
STO    INFINITY      0.0000                     2.625
2*      3.9844      0.2500   1.54470   56.2    2.625
3*    -30.0690      0.0500                     2.546
4*      6.0010      0.8255   1.54470   56.2    2.595
5*    -59.5129      0.0500                     2.362
6*      1.7173      0.1500   1.63469   23.9    2.222
7*      1.1598      0.3360                     2.239
8 FS  INFINITY      0.0700                     2.240
9*      7.3807      0.4852   1.54470   56.2    2.345
10*     -8.1001      0.1857                     2.535
11*    -11.5969      0.2009   1.63469   23.9    2.719
12*     76.2965      0.4224                     2.980
13*      4.1635      0.4970   1.54470   56.2    3.487
14*     -2.9703      0.3533                     3.916
15*      2.7197      0.3145   1.54470   56.2    4.669
16*      0.9380      0.7000                     5.118
17     INFINITY      0.1100   1.51633   64.1    5.749
18     INFINITY      0.1000
【００８３】
実施例３のレンズ面の非球面係数を以下の表８に示す。
〔表８〕
第2面
K=4.75904e+000, A4=-7.08543e-002, A6=2.55215e-002, 
A8=1.38998e-002, A10=-9.41272e-003, A12=3.29702e-003, 
A14=-6.31931e-004
第3面
K=0.00000e+000, A4=4.35606e-002, A6=-9.54602e-003, 
A8=1.85383e-002, A10=-1.40441e-003
第4面
K=0.00000e+000, A4=1.30180e-001, A6=-5.58269e-002, 
A8=1.60864e-002, A10=4.04500e-003, A12=-3.62188e-003, 
A14=9.01883e-004
第5面
K=8.00000e+001, A4=9.01890e-002, A6=-1.49124e-001, 
A8=1.23306e-001, A10=-6.63402e-002, A12=2.44064e-002, 
A14=-4.86280e-003
第6面
K=-1.21402e+001, A4=-2.39782e-002, A6=-8.57697e-002, 
A8=6.26993e-002, A10=-2.05358e-002, A12=6.11980e-003, 
A14=-3.54185e-003
第7面
K=-5.47502e+000, A3=-2.60490e-003, A4=-3.00630e-002, 
A5=-5.35854e-003, A6=5.34571e-002, A8=-1.28165e-001, 
A10=1.69419e-001, A12=-1.10209e-001, A14=2.73640e-002
第9面
K=3.57434e+001, A3=-1.96169e-002, A4=6.63363e-002, 
A5=-2.56825e-001, A6=2.55907e-001, A8=-1.76594e-001, 
A10=1.25144e-001, A12=-7.10711e-002, A14=1.46368e-002
第10面
K=-4.02829e+001, A3=3.52067e-002, A4=-1.76533e-001, 
A5=9.55274e-002, A6=-6.44083e-002, A8=3.07867e-002, 
A10=-1.38879e-002, A12=4.93146e-004
第11面
K=7.08494e+001, A3=8.14154e-002, A4=-4.95365e-001, 
A5=3.98250e-001, A6=-2.00913e-001, A8=1.13885e-001, 
A10=-2.31332e-002, A12=-2.02245e-003
第12面
K=-8.00000e+001, A3=3.31536e-002, A4=-3.67414e-001, 
A5=1.78404e-001, A6=-5.72966e-003, A8=1.56134e-002, 
A10=3.66127e-003, A12=-3.11167e-003, A14=-1.43138e-004
第13面
K=1.41456e+000, A3=-1.51148e-002, A4=3.96559e-002, 
A5=-1.33805e-001, A6=8.70433e-002, A8=-3.59301e-002, 
A10=1.38929e-002, A12=-3.62507e-003, A14=4.30313e-004
第14面
K=-3.53240e+001, A3=-1.08710e-001, A4=9.12049e-002, 
A5=5.94547e-003, A6=-3.25071e-002, A8=-7.49311e-003, 
A10=7.15214e-003, A12=-1.40165e-003, A14=8.23359e-005
第15面
K=-3.82502e+001, A3=-2.04424e-001, A4=-1.33618e-001, 
A5=7.21841e-002, A6=2.96147e-002, A8=-4.86011e-003, 
A10=-4.75408e-004, A12=1.30382e-004, A14=-6.98084e-006
第16面
K=-4.35152e+000, A3=-1.43655e-001, A4=-7.65365e-002, 
A5=1.13460e-001, A6=-3.54246e-002, A8=1.30899e-003, 
A10=-1.53250e-004, A12=7.21323e-006, A14=8.72515e-007
【００８４】
実施例３の撮像レンズ１０の特性を以下に列挙する。
FL        3.774
Fno       1.44
w        75.40
Ymax      2.921
BF        0.910
TL        5.100
BFa       0.873
TLa       5.063
【００８５】
実施例３の単レンズデータを以下の表９に示す。
〔表９〕
Elem   Surfs   Focal Length    Diameter
1     2- 3      6.4758        2.625
2     4- 5     10.0526        2.595
3     6- 7     -6.2855        2.239
4     9-10      7.1691        2.535
5    11-12    -15.8469        2.980
6    13-14      3.2628        3.916
7    15-16     -2.8032        5.118
【００８６】
図９は、実施例３の撮像レンズ１３等の断面図である。撮像レンズ１３は、物体側より順に、光軸ＡＸ周辺で正の屈折力を有し物体側に凸面を向けた略凸平の第１レンズＬ１と、光軸ＡＸ周辺で正の屈折力を有し物体側に凸面を向けた略凸平の第２レンズＬ２と、光軸ＡＸ周辺で負の屈折力を有し像側に凹面を向けたメニスカスの第３レンズＬ３と、光軸ＡＸ周辺で正の屈折力を有する両凸の第４レンズＬ４と、光軸ＡＸ周辺で負の屈折力を有し物体側に凹面を向けた略凹平の第５レンズＬ５と、光軸ＡＸ周辺で正の屈折力を有する両凸の第６レンズＬ６と、光軸ＡＸ周辺で負の屈折力を有し像側に凹面を向けたメニスカスの第７レンズＬ７とを備える。全てのレンズＬ１〜Ｌ７は、プラスチック材料から形成されている。第１レンズＬ１の外縁の物体側には、開口絞り（ＳＴＯ）ＡＳが配置されている。第３及び第４レンズＬ３，Ｌ４の間には、遮光絞りＦＳが配置されている。つまり、第１レンズＬ１の物体側には、開口絞りＡＳとして第１絞り部材ＦＳ１が配置され、第３レンズＬ３の像側には、第２絞り部材ＦＳ２が配置されている。
【００８７】
図１０（Ａ）〜１０（Ｃ）は、実施例３の撮像レンズ１３の諸収差図（球面収差、非点収差、歪曲収差）を示し、図１０（Ｄ）及び１０（Ｅ）は、実施例３の撮像レンズ１３の横収差を示している。
【００８８】
〔実施例４〕
実施例４のレンズ面のデータを以下の表１０に示す。
〔表１０〕
面番号    r           d        nd       vd     eff. dia.
1 FS  INFINITY      0.0000                     2.700
2*      3.0000      0.3006   1.54470   56      2.625
3*    -29.8652      0.0500                     2.517
4*     52.0943      0.7384   1.54470   56      2.537
5*     -7.7991      0.1000                     2.357
STO    INFINITY     -0.0500                     2.258
7*      1.7513      0.1500   1.63469   23.9    2.203
8*      1.1130      0.3881                     2.204
9 FS  INFINITY      0.0700                     2.220
10*      8.5883      0.5707   1.54470   56      2.478
11*     -5.9776      0.1525                     2.652
12*    -10.6927      0.3030   1.63469   23.9    2.807
13*     17.6055      0.3879                     3.158
14*      3.2081      0.5334   1.54470   56      3.536
15*     -3.1457      0.5565                     3.879
16*    -88.2601      0.3275   1.54470   56      4.705
17*      1.4022      0.3000                     5.313
18     INFINITY      0.1100   1.51633   64.1    5.646
19     INFINITY      0.3114
【００８９】
実施例４のレンズ面の非球面係数を以下の表１１に示す。
〔表１１〕
第2面
K=2.11148e+000, A4=-2.95136e-002, A6=3.41717e-004, 
A8=1.75787e-002, A10=-5.43560e-003, A12=2.86848e-003, 
A14=-1.08971e-003
第3面
K=0.00000e+000, A4=5.74093e-002, A6=1.42162e-002, 
A8=6.36900e-003, A10=3.22404e-003
第4面
K=0.00000e+000, A4=1.03021e-001, A6=-1.42099e-002, 
A8=7.97392e-003, A10=-2.03644e-003, A12=-1.30793e-003, 
A14=1.07559e-003
第5面
K=5.54924e+000, A4=1.36177e-001, A6=-1.73239e-001, 
A8=1.46216e-001, A10=-8.23902e-002, A12=2.76774e-002, 
A14=-4.86281e-003
第7面
K=-1.59241e+001, A4=-9.35509e-003, A6=-5.26647e-002, 
A8=3.17607e-002, A10=-1.46649e-002, A12=6.11984e-003, 
A14=-3.54185e-003
第8面
K=-6.33742e+000, A3=-1.03631e-004, A4=-2.05910e-002, 
A5=2.44461e-003, A6=5.53165e-002, A8=-1.41665e-001, 
A10=1.68385e-001, A12=-1.04094e-001, A14=2.61596e-002
第10面
K=3.16638e+001, A3=-2.05322e-002, A4=7.70636e-002, 
A5=-2.31548e-001, A6=2.25677e-001, A8=-1.68054e-001, 
A10=1.33867e-001, A12=-8.05820e-002, A14=2.16353e-002
第11面
K=-7.04758e+000, A3=2.11213e-002, A4=-1.65440e-001, 
A5=9.70462e-002, A6=-5.78489e-002, A8=2.33043e-002, 
A10=-9.33734e-003, A12=7.06252e-004
第12面
K=5.61667e+001, A3=7.53586e-002, A4=-4.84332e-001, 
A5=4.17171e-001, A6=-1.98178e-001, A8=1.00749e-001, 
A10=-2.87920e-002, A12=1.60783e-003
第13面
K=-5.95526e+001, A3=5.00362e-002, A4=-3.74655e-001, 
A5=1.89754e-001, A6=-1.88143e-003, A8=4.26196e-003, 
A10=9.01876e-004, A12=-1.34422e-003, A14=2.14891e-005
第14面
K=-3.79129e+000, A3=1.28434e-003, A4=1.60638e-002, 
A5=-1.04100e-001, A6=6.97150e-002, A8=-3.46793e-002, 
A10=1.38857e-002, A12=-2.90033e-003, A14=2.33414e-004
第15面
K=-1.78695e+000, A3=-6.95183e-003, A4=1.02116e-001, 
A5=-3.11562e-002, A6=-3.29689e-002, A8=-6.06059e-003, 
A10=7.19149e-003, A12=-1.27079e-003, A14=5.41600e-005
第16面
K=8.00000e+001, A3=-5.30569e-002, A4=-2.41895e-001, 
A5=8.00129e-002, A6=3.81682e-002, A8=-5.01910e-003, 
A10=-6.00123e-004, A12=1.46593e-004, A14=-7.72897e-006
第17面
K=-3.27599e+000, A3=-7.07506e-002, A4=-1.74522e-001, 
A5=1.43329e-001, A6=-3.06257e-002, A8=1.78898e-005, 
A10=-9.87526e-005, A12=2.07509e-005, A14=-7.30726e-007
【００９０】
実施例４の撮像レンズ１０の特性を以下に列挙する。
FL        3.746
Fno       1.43
w        75.42
Ymax      2.921
BF        0.721
TL        5.300
BFa       0.684
TLa       5.263
【００９１】
実施例４の単レンズデータを以下の表１２に示す。
〔表１２〕
Elem   Surfs   Focal Length    Diameter
1     2- 3      5.0211        2.625
2     4- 5     12.5080        2.537
3     7- 8     -5.2952        2.204
4    10-11      6.5611        2.652
5    12-13    -10.4379        3.158
6    14-15      3.0049        3.879
7    16-17     -2.5307        5.313
【００９２】
図１１は、実施例４の撮像レンズ１４等の断面図である。撮像レンズ１４は、物体側より順に、光軸ＡＸ周辺で正の屈折力を有し物体側に凸面を向けた略凸平の第１レンズＬ１と、光軸ＡＸ周辺で正の屈折力を有し物体側にゆるい凸面を向けた略平凸の第２レンズＬ２と、光軸ＡＸ周辺で負の屈折力を有し像側に凹面を向けたメニスカスの第３レンズＬ３と、光軸ＡＸ周辺で正の屈折力を有する両凸の第４レンズＬ４と、光軸ＡＸ周辺で負の屈折力を有する両凹の第５レンズＬ５と、光軸ＡＸ周辺で正の屈折力を有する両凸の第６レンズＬ６と、光軸ＡＸ周辺で負の屈折力を有し像側に凹面を向けた略平凹の第７レンズＬ７とを備える。全てのレンズＬ１〜Ｌ７は、プラスチック材料から形成されている。第２及び第３レンズＬ２，Ｌ３の間には、開口絞り（ＳＴＯ）ＡＳが配置されている。つまり、第３レンズＬ３の物体側には、開口絞りＡＳとして第２絞り部材ＦＳ２が配置されている。第１レンズＬ１の外縁の物体側と、第３及び第４レンズＬ３，Ｌ４の間とには、遮光絞りＦＳが配置されている。具体的には、第１レンズＬ１の物体側には、第１絞り部材ＦＳ１が配置され、第３レンズＬ３の像側には、第２絞り部材ＦＳ２が配置されている。
【００９３】
図１２（Ａ）〜１２（Ｃ）は、実施例４の撮像レンズ１４の諸収差図（球面収差、非点収差、歪曲収差）を示し、図１２（Ｄ）及び１２（Ｅ）は、実施例４の撮像レンズ１４の横収差を示している。
【００９４】
〔実施例５〕
実施例５のレンズ面のデータを以下の表１３に示す。
〔表１３〕
面番号    r           d        nd       vd     eff. dia.
1 FS  INFINITY      0.0000                     2.750
2*      2.8425      0.2876   1.54470   56      2.625
3*     10.5346      0.0500                     2.535
4*      4.1054      0.5861   1.54470   56      2.552
5*    -20.5818      0.0500                     2.441
STO    INFINITY      0.0000                     2.407
7*      1.6442      0.1588   1.64250   22.5    2.260
8*      1.0955      0.3814                     2.070
9 FS  INFINITY      0.1500                     2.100
10*     10.4374      0.4135   1.54470   56      2.228
11*    -10.8612      0.2050                     2.437
12*    -11.5154      0.3240   1.64250   22.5    2.709
13*    -70.1387      0.2749                     3.121
14*      6.5446      0.6436   1.54470   56      3.323
15*     -2.0481      0.2494                     3.827
16*      3.2631      0.3159   1.54470   56      4.669
17*      0.9055      0.7000                     5.123
18     INFINITY      0.1100   1.51633   64.1    6.000
19     INFINITY      0.1034
【００９５】
実施例５のレンズ面の非球面係数を以下の表１４に示す。
〔表１４〕
第2面
K=2.45933e+000, A4=-5.64840e-002, A6=1.23880e-003,
A8=1.40164e-002, A10=-8.15057e-003, A12=4.49083e-003, 
A14=-1.20273e-003
第3面
K=0.00000e+000, A4=2.84945e-002, A6=-1.54521e-002, 
A8=1.61739e-002, A10=7.11214e-004
第4面
K=0.00000e+000, A4=1.18964e-001, A6=-4.85843e-002, 
A8=1.67136e-002, A10=2.23414e-003, A12=-3.21920e-003, 
A14=9.58706e-004
第5面
K=8.00000e+001, A4=1.21081e-001, A6=-1.57295e-001, 
A8=1.19491e-001, A10=-6.71167e-002, A12=2.64905e-002, 
A14=-4.86280e-003
第7面
K=-1.19198e+001, A4=-2.43944e-002, A6=-6.54265e-002, 
A8=5.52093e-002, A10=-2.07627e-002, A12=1.00626e-002, 
A14=-3.54185e-003
第8面
K=-5.36212e+000, A3=2.52605e-003, A4=-3.36521e-002, 
A5=3.46266e-003, A6=6.34426e-002, A8=-1.32146e-001, 
A10=1.68730e-001, A12=-1.03133e-001, A14=2.59965e-002
第10面
K=7.30826e+001, A3=-2.75937e-002, A4=7.23297e-002, 
A5=-2.57373e-001, A6=2.38197e-001, A8=-1.73011e-001, 
A10=1.25314e-001, A12=-8.02041e-002, A14=2.07391e-002
第11面
K=5.75496e+001, A3=3.22475e-002, A4=-1.90882e-001, 
A5=1.10433e-001, A6=-6.08357e-002, A8=2.03234e-002, 
A10=-1.29615e-002, A12=1.67482e-003
第12面
K=7.03938e+001, A3=1.12370e-001, A4=-4.69857e-001, 
A5=4.03250e-001, A6=-2.22030e-001, A8=1.06297e-001, 
A10=-1.93140e-002, A12=-2.51197e-003
第13面
K=-8.00000e+001, A3=9.49994e-002, A4=-3.41451e-001, 
A5=1.44129e-001, A6=-1.14642e-002, A8=1.64381e-002, 
A10=1.97668e-003, A12=-2.48220e-003, A14=-3.75961e-005
第14面
K=1.38482e+001, A3=1.96397e-002, A4=-2.70337e-003, 
A5=-1.09896e-001, A6=5.58340e-002, A8=-3.04191e-002, 
A10=1.60292e-002, A12=-4.53716e-003, A14=4.97797e-004
第15面
K=-1.21948e+001, A3=-1.10948e-001, A4=1.38121e-001, 
A5=-4.02449e-002, A6=-3.54958e-002, A8=-1.49037e-003, 
A10=7.19664e-003, A12=-1.65384e-003, A14=1.08405e-004
第16面
K=-8.00000e+001, A3=-1.94711e-001, A4=-1.30937e-001, 
A5=7.42678e-002, A6=2.86079e-002, A8=-5.14203e-003, 
A10=-4.66063e-004, A12=1.40143e-004, A14=-7.90282e-006
第17面
K=-5.17425e+000, A3=-1.19250e-001, A4=-8.11730e-002, 
A5=1.10963e-001, A6=-3.49510e-002, A8=1.10574e-003, 
A10=-1.27659e-004, A12=1.59180e-005, A14=-2.25568e-007
【００９６】
実施例５の撮像レンズ１０の特性を以下に列挙する。
FL        3.785
Fno       1.44
w        74.14
Ymax      2.921
BF        0.913
TL        5.003
BFa       0.876
TLa       4.966
【００９７】
実施例５の単レンズデータを以下の表１５に示す。
〔表１５〕
Elem   Surfs   Focal Length    Diameter
1     2- 3      7.0538        2.625
2     4- 5      6.3366        2.552
3     7- 8     -5.7618        2.260
4    10-11      9.8388        2.437
5    12-13    -21.4899        3.121
6    14-15      2.9415        3.827
7    16-17     -2.4151        5.123
【００９８】
図１３は、実施例５の撮像レンズ１５等の断面図である。撮像レンズ１５は、物体側より順に、光軸ＡＸ周辺で正の屈折力を有し物体側に凸面を向けたメニスカスの第１レンズＬ１と、光軸ＡＸ周辺で正の屈折力を有し物体側に凸面を向けた略凸平の第２レンズＬ２と、光軸ＡＸ周辺で負の屈折力を有し像側に凹面を向けたメニスカスの第３レンズＬ３と、光軸ＡＸ周辺で正の屈折力を有する両凸の第４レンズＬ４と、光軸ＡＸ周辺で弱い負の屈折力を有し物体側に凹面を向けた略凹平の第５レンズＬ５と、光軸ＡＸ周辺で正の屈折力を有する両凸の第６レンズＬ６と、光軸ＡＸ周辺で負の屈折力を有し像側に凹面を向けたメニスカスの第７レンズＬ７とを備える。全てのレンズＬ１〜Ｌ７は、プラスチック材料から形成されている。第２及び第３レンズＬ２，Ｌ３の間には、開口絞り（ＳＴＯ）ＡＳが配置されている。つまり、第３レンズＬ３の物体側には、開口絞りＡＳとして第２絞り部材ＦＳ２が配置されている。第１レンズＬ１の外縁の物体側と、第３及び第４レンズＬ３，Ｌ４の間とには、遮光絞りＦＳが配置されている。具体的には、第１レンズＬ１の物体側には、第１絞り部材ＦＳ１が配置され、第３レンズＬ３の像側には、第２絞り部材ＦＳ２が配置されている。
【００９９】
図１４（Ａ）〜１４（Ｃ）は、実施例５の撮像レンズ１５の諸収差図（球面収差、非点収差、歪曲収差）を示し、図１４（Ｄ）及び１４（Ｅ）は、実施例５の撮像レンズ１５の横収差を示している。
【０１００】
〔実施例６〕
実施例６のレンズ面のデータを以下の表１６に示す。
〔表１６〕
面番号    r           d        nd       vd     eff. dia.
1 FS  INFINITY      0.0000                     2.700
2*      2.6382      0.3151   1.54470   56      2.625
3*     13.0451      0.0500                     2.560
4*      4.1532      0.6042   1.54470   56      2.565
5*    -24.1768      0.1000                     2.447
STO    INFINITY     -0.0500                     2.343
7*      1.7267      0.1554   1.64250   22.5    2.235
8*      1.1061      0.4257                     2.003
9 FS  INFINITY      0.1500                     2.080
10*     10.8150      0.4020   1.54470   56      2.299
11*    -17.4966      0.1725                     2.560
12*    -13.0397      0.2500   1.64250   22.5    2.833
13*    -24.3648      0.3079                     3.096
14*      7.5523      0.4919   1.54470   56      3.395
15*     -2.1375      0.2544                     3.795
16*      3.0841      0.3093   1.54470   56      4.618
17*      0.9108      0.7000                     5.004
18     INFINITY      0.1100   1.51633   64.1    5.757
19     INFINITY      0.1009
【０１０１】
実施例６のレンズ面の非球面係数を以下の表１７に示す。
〔表１７〕
第2面
K=2.03116e+000, A4=-6.56064e-002, A6=-9.47667e-003, 
A8=1.29845e-002, A10=-7.34348e-003, A12=5.03976e-003, 
A14=-1.49643e-003
第3面
K=0.00000e+000, A4=1.62399e-002, A6=-2.17529e-002, 
A8=1.59065e-002, A10=2.76162e-004
第4面
K=0.00000e+000, A4=1.16481e-001, A6=-4.19262e-002, 
A8=1.62885e-002, A10=3.62132e-004, A12=-3.16641e-003, 
A14=1.15655e-003
第5面
K=8.00000e+001, A4=1.15928e-001, A6=-1.58272e-001, 
A8=1.18731e-001, A10=-6.70291e-002, A12=2.67578e-002, 
A14=-4.86297e-003
第7面
K=-1.36106e+001, A4=-3.54561e-002, A6=-4.45993e-002, 
A8=5.44551e-002, A10=-2.50577e-002, A12=1.13259e-002, 
A14=-3.54209e-003
第8面
K=-5.67795e+000, A3=6.93725e-003, A4=-2.87158e-002, 
A5=9.76236e-003, A6=7.14634e-002, A8=-1.22123e-001, 
A10=1.67693e-001, A12=-1.06336e-001, A14=2.79996e-002
第10面
K=2.01392e+001, A3=-2.21876e-002, A4=6.94020e-002, 
A5=-2.49838e-001, A6=2.42710e-001, A8=-1.73201e-001, 
A10=1.32080e-001, A12=-7.56022e-002, A14=1.88769e-002
第11面
K=-8.00000e+001, A3=3.74533e-002, A4=-1.82862e-001, 
A5=1.09505e-001, A6=-6.57678e-002, A8=2.57443e-002, 
A10=-1.46604e-002, A12=2.96350e-003
第12面
K=7.84932e+001, A3=1.18753e-001, A4=-4.75527e-001, 
A5=4.01828e-001, A6=-2.26950e-001, A8=1.02720e-001, 
A10=-1.77362e-002, A12=-2.10829e-003
第13面
K=-7.85381e+001, A3=9.13893e-002, A4=-3.34887e-001, 
A5=1.27675e-001, A6=-1.43744e-002, A8=2.16811e-002, 
A10=2.17996e-003, A12=-2.93847e-003, A14=1.39523e-005
第14面
K=1.75964e+001, A3=1.86480e-002, A4=2.60090e-002, 
A5=-1.07705e-001, A6=4.43507e-002, A8=-2.90545e-002, 
A10=1.63260e-002, A12=-4.67132e-003, A14=5.24325e-004
第15面
K=-8.96742e+000, A3=-1.02219e-001, A4=1.95108e-001, 
A5=-7.87731e-002, A6=-3.64803e-002, A8=1.32953e-003, 
A10=6.95241e-003, A12=-1.74240e-003, A14=1.25095e-004
第16面
K=-7.99995e+001, A3=-2.00086e-001, A4=-1.29172e-001, 
A5=7.80963e-002, A6=2.75812e-002, A8=-5.40552e-003, 
A10=-4.50625e-004, A12=1.45536e-004, A14=-8.37510e-006
第17面
K=-5.18659e+000, A3=-1.42142e-001, A4=-5.81749e-002, 
A5=1.01091e-001, A6=-3.31283e-002, A8=7.74213e-004, 
A10=-9.90054e-005, A12=1.39436e-005, A14=2.40490e-007
【０１０２】
実施例６の撮像レンズ１０の特性を以下に列挙する。
FL        3.786
Fno       1.44
w        74.37
Ymax      2.921
BF        0.911
TL        4.849
BFa       0.873
TLa       4.812
【０１０３】
実施例６の単レンズデータを以下の表１８に示す。
〔表１８〕
Elem   Surfs   Focal Length    Diameter
1     2- 3      6.0072        2.625
2     4- 5      6.5563        2.565
3     7- 8     -5.3095        2.235
4    10-11     12.3321        2.560
5    12-13    -44.0432        3.096
6    14-15      3.1143        3.795
7    16-17     -2.4981        5.004
【０１０４】
図１５は、実施例６の撮像レンズ１６等の断面図である。撮像レンズ１６は、物体側より順に、光軸ＡＸ周辺で正の屈折力を有し物体側に凸面を向けたメニスカスの第１レンズＬ１と、光軸ＡＸ周辺で正の屈折力を有し物体側に凸面を向けた略凸平の第２レンズＬ２と、光軸ＡＸ周辺で負の屈折力を有し像側に凹面を向けたメニスカスの第３レンズＬ３と、光軸ＡＸ周辺で正の屈折力を有する両凸の第４レンズＬ４と、光軸ＡＸ周辺で弱い負の屈折力を有し物体側に凹面を向けた略凹平の第５レンズＬ５と、光軸ＡＸ周辺で正の屈折力を有する両凸の第６レンズＬ６と、光軸ＡＸ周辺で負の屈折力を有し像側に凹面を向けたメニスカスの第７レンズＬ７とを備える。全てのレンズＬ１〜Ｌ７は、プラスチック材料から形成されている。第２及び第３レンズＬ２，Ｌ３の間には、開口絞り（ＳＴＯ）ＡＳが配置されている。つまり、第３レンズＬ３の物体側には、開口絞りＡＳとして第２絞り部材ＦＳ２が配置されている。第１レンズＬ１の外縁の物体側と、第３及び第４レンズＬ３，Ｌ４の間とには、遮光絞りＦＳが配置されている。具体的には、第１レンズＬ１の物体側には、第１絞り部材ＦＳ１が配置され、第３レンズＬ３の像側には、第２絞り部材ＦＳ２が配置されている。
【０１０５】
図１６（Ａ）〜１６（Ｃ）は、実施例６の撮像レンズ１６の諸収差図（球面収差、非点収差、歪曲収差）を示し、図１６（Ｄ）及び１６（Ｅ）は、実施例６の撮像レンズ１６の横収差を示している。
【０１０６】
〔実施例７〕
実施例７のレンズ面のデータを以下の表１９に示す。
〔表１９〕
面番号    r           d        nd       vd     eff. dia.
1 FS  INFINITY      0.0000                     2.800
2*      3.3015      0.2057   1.54470   56      2.485
3*     11.1318      0.2981                     2.325
STO    INFINITY     -0.2481                     2.333
5*      4.2322      0.9081   1.54470   56      2.344
6*    -31.4680      0.0500                     2.103
7*      1.8190      0.1500   1.64250   22.5    2.020
8*      1.2154      0.3467                     2.148
9 FS  INFINITY      0.0500                     2.280
10*      7.4298      0.4301   1.54470   56      2.340
11*    -10.1882      0.1490                     2.516
12*    -11.5232      0.2000   1.64250   22.5    2.663
13*    -25.8224      0.4341                     2.899
14*      4.9352      0.4434   1.54470   56      3.451
15*     -3.0928      0.3600                     3.842
16*      3.1634      0.3129   1.54470   56      4.697
17*      0.9811      0.4000                     5.044
18     INFINITY      0.1100   1.51633   64.1    6.000
19     INFINITY      0.4000
【０１０７】
実施例７のレンズ面の非球面係数を以下の表２０に示す。
〔表２０〕
第2面
K=3.36105e+000, A4=-7.94870e-002, A6=2.07951e-002, 
A8=1.39213e-002, A10=-9.27126e-003, A12=3.54083e-003, 
A14=-8.51627e-004
第3面
K=0.00000e+000, A4=3.05799e-002, A6=-1.56270e-002, 
A8=2.20118e-002, A10=-1.97733e-003
第5面
K=0.00000e+000, A4=1.23196e-001, A6=-5.51921e-002, 
A8=1.56997e-002, A10=4.24602e-003, A12=-3.69900e-003, 
A14=9.01883e-004
第6面 K=-1.06179e+001, A4=9.30475e-002, A6=-1.54311e-001, 
A8=1.20759e-001, A10=-6.73988e-002, A12=2.60256e-002, 
A14=-4.86280e-003
第7面
K=-1.35160e+001, A4=-2.80945e-002, A6=-9.17061e-002, 
A8=5.92051e-002, A10=-1.44739e-002, A12=6.11980e-003, 
A14=-3.54185e-003
第8面
K=-5.86017e+000, A3=-3.27589e-003, A4=-3.49476e-002, 
A5=-6.35227e-003, A6=5.37366e-002, A8=-1.28642e-001, 
A10=1.71627e-001, A12=-1.06865e-001, A14=2.58046e-002
第10面
K=3.42888e+001, A3=-1.82373e-002, A4=6.47450e-002, 
A5=-2.59149e-001, A6=2.56719e-001, A8=-1.73502e-001, 
A10=1.24035e-001, A12=-7.23615e-002, A14=1.77241e-002
第11面
K=2.26036e+001, A3=4.81347e-002, A4=-1.87755e-001, 
A5=9.87501e-002, A6=-5.65569e-002, A8=3.33831e-002, 
A10=-1.47994e-002, A12=1.32210e-003
第12面
K=7.28701e+001, A3=1.00275e-001, A4=-4.90404e-001, 
A5=3.98660e-001, A6=-2.02854e-001, A8=1.13571e-001, 
A10=-2.30865e-002, A12=-2.84567e-003
第13面
K=-8.00000e+001, A3=5.15310e-002, A4=-3.51709e-001, 
A5=1.76313e-001, A6=-1.08328e-002, A8=1.33332e-002, 
A10=3.67075e-003, A12=-2.83428e-003, A14=-2.60794e-004
第14面
K=4.57265e+000, A3=-2.41068e-002, A4=5.40067e-002, 
A5=-1.29959e-001, A6=7.31899e-002, A8=-3.36364e-002, 
A10=1.41972e-002, A12=-4.00626e-003, A14=5.31717e-004
第15面
K=-4.25601e+001, A3=-1.19694e-001, A4=1.11706e-001, 
A5=-4.60858e-003, A6=-3.48103e-002, A8=-6.06970e-003, 
A10=7.22230e-003, A12=-1.47390e-003, A14=8.72814e-005
第16面
K=-4.85199e+001, A3=-1.90054e-001, A4=-1.36306e-001, 
A5=7.22141e-002, A6=2.95063e-002, A8=-4.86806e-003, 
A10=-4.66772e-004, A12=1.31777e-004, A14=-7.17900e-006
第17面
K=-5.31135e+000, A3=-1.06034e-001, A4=-8.68173e-002, 
A5=1.09683e-001, A6=-3.44811e-002, A8=1.51053e-003, 
A10=-1.69982e-004, A12=4.55135e-006, A14=1.54660e-006
【０１０８】
実施例７の撮像レンズ１０の特性を以下に列挙する。
FL        3.778
Fno       1.60
w        75.42
Ymax      2.921
BF        0.910
TL        5.000
BFa       0.873
TLa       4.963
【０１０９】
実施例７の単レンズデータを以下の表２１に示す。
〔表２１〕
Elem   Surfs   Focal Length    Diameter
1     2- 3      8.5376        2.485
2     5- 6      6.9107        2.344
3     7- 8     -6.3141        2.148
4    10-11      7.9564        2.516
5    12-13    -32.5660        2.899
6    14-15      3.5599        3.842
7    16-17     -2.7498        5.044
【０１１０】
図１７は、実施例７の撮像レンズ１７等の断面図である。撮像レンズ１７は、物体側より順に、光軸ＡＸ周辺で正の屈折力を有し物体側に凸面を向けたメニスカスの第１レンズＬ１と、光軸ＡＸ周辺で正の屈折力を有し物体側に凸面を向けた略凸平の第２レンズＬ２と、光軸ＡＸ周辺で負の屈折力を有し像側に凹面を向けたメニスカスの第３レンズＬ３と、光軸ＡＸ周辺で正の屈折力を有する両凸の第４レンズＬ４と、光軸ＡＸ周辺で弱い負の屈折力を有し物体側に凹面を向けた略凹平の第５レンズＬ５と、光軸ＡＸ周辺で正の屈折力を有する両凸の第６レンズＬ６と、光軸ＡＸ周辺で負の屈折力を有し像側に凹面を向けたメニスカスの第７レンズＬ７とを備える。全てのレンズＬ１〜Ｌ７は、プラスチック材料から形成されている。第１及び第２レンズＬ１，Ｌ２の間には、開口絞り（ＳＴＯ）ＡＳが配置されている。第１レンズＬ１の外縁の物体側と、第３及び第４レンズＬ３，Ｌ４の間とには、遮光絞りＦＳが配置されている。具体的には、第１レンズＬ１の物体側には、第１絞り部材ＦＳ１が配置され、第３レンズＬ３の像側には、第２絞り部材ＦＳ２が配置されている。
【０１１１】
図１８（Ａ）〜１８（Ｃ）は、実施例７の撮像レンズ１７の諸収差図（球面収差、非点収差、歪曲収差）を示し、図１８（Ｄ）及び１８（Ｅ）は、実施例７の撮像レンズ１７の横収差を示している。
【０１１２】
〔実施例８〕
実施例８のレンズ面のデータを以下の表２２に示す。
〔表２２〕
面番号    r           d        nd       vd     eff. dia.
STO    INFINITY      0.0000                     2.625
2*     12.7631      0.2435   1.54470   56      2.625
3*     -5.4843      0.0500                     2.574
4*      9.0345      0.5529   1.54470   56      2.650
5*    -12.5803      0.0500                     2.597
6*      1.3123      0.1512   1.63469   23.9    2.362
7*      0.9809      0.4167                     2.281
8 FS  INFINITY      0.0500                     2.340
9*      7.7483      0.5607   1.54470   56      2.403
10*     -6.9181      0.1807                     2.621
11*    -12.6546      0.2029   1.63469   23.9    2.826
12*      7.7098      0.2989                     3.080
13*      3.2773      0.7704   1.54470   56      3.394
14*     -2.7895      0.3447                     3.860
15*      1.6964      0.3174   1.54470   56      4.780
16*      0.8038      0.7000                     5.268
17     INFINITY      0.1100   1.51633   64.1    5.753
18     INFINITY      0.1000
【０１１３】
実施例８のレンズ面の非球面係数を以下の表２３に示す。
〔表２３〕
第2面
K=-8.00000e+001, A4=-7.48850e-002, A6=6.33439e-002, 
A8=6.15877e-003, A10=-1.76732e-002, A12=7.02102e-003, 
A14=-1.09000e-003
第3面
K=0.00000e+000, A4=4.85267e-002, A6=8.42381e-003, 
A8=1.31801e-002, A10=-4.45043e-003
第4面
K=0.00000e+000, A4=1.55158e-001, A6=-8.42838e-002, 
A8=2.37956e-002, A10=4.07474e-003, A12=-4.23186e-003, 
A14=7.28622e-004
第5面
K=3.67867e+001, A4=9.08050e-002, A6=-1.45772e-001, 
A8=1.28885e-001, A10=-7.77015e-002, A12=2.89308e-002, 
A14=-4.86280e-003
第6面
K=-6.97649e+000, A4=1.05634e-002, A6=-1.00130e-001, 
A8=5.43288e-002, A10=-1.85670e-002, A12=9.55016e-003, 
A14=-3.54185e-003
第7面
K=-3.94862e+000, A3=-2.59698e-003, A4=-2.62087e-002, 
A5=6.06741e-003, A6=5.23030e-002, A8=-1.57099e-001, 
A10=1.72952e-001, A12=-9.17431e-002, A14=1.92141e-002
第9面
K=3.66418e+001, A3=-1.45238e-002, A4=7.28277e-002, 
A5=-2.43294e-001, A6=2.47363e-001, A8=-1.77780e-001, 
A10=1.33870e-001, A12=-7.54842e-002, A14=1.58978e-002
第10面
K=-6.20010e+001, A3=5.12275e-002, A4=-1.72624e-001, 
A5=9.19663e-002, A6=-6.96915e-002, A8=2.91927e-002, 
A10=-1.07735e-002, A12=2.59681e-004
第11面
K=7.72015e+001, A3=1.13745e-001, A4=-4.78981e-001, 
A5=3.97688e-001, A6=-2.10616e-001, A8=1.05312e-001, 
A10=-2.45212e-002, A12=3.26595e-004
第12面
K=2.18339e+001, A3=5.27999e-002, A4=-3.67919e-001, 
A5=1.73977e-001, A6=-9.16990e-003, A8=1.33268e-002, 
A10=2.47047e-003, A12=-2.98596e-003, A14=1.55616e-004
第13面
K=2.33931e+000, A3=-2.71900e-002, A4=2.93736e-002, 
A5=-1.34640e-001, A6=8.36348e-002, A8=-3.59132e-002, 
A10=1.47597e-002, A12=-3.49934e-003, A14=3.03570e-004
第14面
K=-1.34903e+001, A3=-9.56336e-002, A4=8.04709e-002, 
A5=3.58988e-003, A6=-3.11515e-002, A8=-6.77177e-003, 
A10=7.14834e-003, A12=-1.42848e-003, A14=8.21393e-005
第15面
K=-1.35283e+001, A3=-2.18794e-001, A4=-1.36817e-001, 
A5=7.20456e-002, A6=3.00213e-002, A8=-4.72429e-003, 
A10=-4.67307e-004, A12=1.25999e-004, A14=-6.74112e-006
第16面
K=-4.17944e+000, A3=-1.21792e-001, A4=-8.51573e-002, 
A5=1.12526e-001, A6=-3.48332e-002, A8=1.48839e-003, 
A10=-1.36324e-004, A12=7.15732e-006, A14=3.36690e-007
【０１１４】
実施例８の撮像レンズ１０の特性を以下に列挙する。
FL        3.474
Fno       1.32
w        79.98
Ymax      2.921
B F       0.910
TL        5.100
BFa       0.873
TLa       5.063
【０１１５】
実施例８の単レンズデータを以下の表２４に示す。
〔表２４〕
Elem   Surfs   Focal Length    Diameter
1     2- 3      7.0756        2.625
2     4- 5      9.7414        2.650
3     6- 7     -7.4386        2.362
4     9-10      6.8015        2.621
5    11-12     -7.5194        3.080
6    13-14      2.8962        3.860
7    15-16     -3.2066        5.268
【０１１６】
図１９は、実施例８の撮像レンズ１８等の断面図である。撮像レンズ１８は、物体側より順に、光軸ＡＸ周辺で正の屈折力を有する両凸の第１レンズＬ１と、光軸ＡＸ周辺で正の屈折力を有する両凸の第２レンズＬ２と、光軸ＡＸ周辺で負の屈折力を有し像側に凹面を向けたメニスカスの第３レンズＬ３と、光軸ＡＸ周辺で正の屈折力を有する両凸の第４レンズＬ４と、光軸ＡＸ周辺で負の屈折力を有する両凹の第５レンズＬ５と、光軸ＡＸ周辺で正の屈折力を有する両凸の第６レンズＬ６と、光軸ＡＸ周辺で負の屈折力を有し像側に凹面を向けたメニスカスの第７レンズＬ７とを備える。全てのレンズＬ１〜Ｌ７は、プラスチック材料から形成されている。第１レンズＬ１の外縁の物体側には、開口絞り（ＳＴＯ）ＡＳが配置されている。第３及び第４レンズＬ３，Ｌ４の間とには、遮光絞りＦＳが配置されている。つまり、第１レンズＬ１の物体側には、開口絞りＡＳとして第１絞り部材ＦＳ１が配置され、第３レンズＬ３の像側には、第２絞り部材ＦＳ２が配置されている。
【０１１７】
図２０（Ａ）〜２０（Ｃ）は、実施例８の撮像レンズ１８の諸収差図（球面収差、非点収差、歪曲収差）を示し、図２０（Ｄ）及び２０（Ｅ）は、実施例８の撮像レンズ１８の横収差を示している。
【０１１８】
以下の表２５は、参考のため、各条件式（１）〜（６）に対応する各実施例１〜８の値をまとめたものである。
〔表２５〕
2015072402.tif 000004
【０１１９】
以上では、実施形態や実施例に即して本発明を説明したが、本発明は、上記実施形態等に限定されるものではない。例えば、開口絞りＡＳは、鏡筒部分５４ａに直接的に支持させることができるが、これに隣接する１つのレンズの外側に延びるフランジ部に固定することができ、あるいは隣接する一対のレンズの外側に延びるフランジ部に挟んで固定することができる。遮光絞りＦＳも、鏡筒部分５４ａに直接的に支持させることができるが、これに隣接する１つのレンズの外側に延びるフランジ部に固定することができ、あるいは隣接する一対のレンズの外側に延びるフランジ部に挟んで固定することができる。
【０１２０】
開口絞りＡＳや遮光絞りＦＳは、金属板に限らず、樹脂又はセラミックスの板状部材とすることができ、レンズのフランジ部を遮光性の材料で塗装することによっても組み込むことができる。さらに、開口絞りＡＳや遮光絞りＦＳは、完全な遮光体に限らず、口径外で減光を行うものであってもよい。遮光絞りＦＳを遮光板等とする場合、一対のレンズ間に複数の遮光板等を配置することもできる。
【０１２１】
１０，１１〜１８…撮像レンズ、  ５０…カメラモジュール、  ５１…撮像素子、  １００…撮像装置、  ３００…携帯端末、  ＡＸ…光軸、  Ｌ１−Ｌ７…レンズ、  ＡＳ…開口絞り、  ＦＳ…遮光絞り、  ＦＳ１，ＦＳ２…絞り部材
【図１】
2015072402.tif 000005
【図２】
2015072402.tif 000006
【図３】
2015072402.tif 000007
【図４】
2015072402.tif 000008
【図５】
2015072402.tif 000009
【図６】
2015072402.tif 000010
【図７】
2015072402.tif 000011
【図８】
2015072402.tif 000012
【図９】
2015072402.tif 000013
【図１０】
2015072402.tif 000014
【図１１】
2015072402.tif 000015
【図１２】
2015072402.tif 000016
【図１３】
2015072402.tif 000017
【図１４】
2015072402.tif 000018
【図１５】
2015072402.tif 000019
【図１６】
2015072402.tif 000020
【図１７】
2015072402.tif 000021
【図１８】
2015072402.tif 000022
【図１９】
2015072402.tif 000023
【図２０】
2015072402.tif 000024